(57)【要約】【課題】紙葉類収納カセットの扉を開いて集積部上の紙葉類を手動で取り出したり紙葉類を装填したりするときに整列機構が邪魔とならないため作業効率を向上させることができる紙葉類収納カセットおよび紙葉類処理装置を提供する。【解決手段】紙葉類収納カセット（例えば、紙幣収納カセット５０）において、紙葉類処理装置の本体部分（例えば、紙幣処理装置２０の搬送部２６）から送られた紙葉類を整列させて集積部（例えば、集積ステージ５２）に集積させるための整列機構は、紙葉類が集積される集積領域と、当該集積領域から退避した退避領域との間で移動自在となっている。このような紙葉類収納カセットには、整列機構が退避領域から集積領域に移動しないよう当該整列機構を退避領域でロックするロック部（例えば、ロック板７６）が設けられている。【選択図】図１５
2017090986.tif 000002
【特許請求の範囲】
【請求項１】
紙葉類の処理を行う紙葉類処理装置に対して着脱自在となっている紙葉類収納カセットであって、
複数の紙葉類が集積される集積部と、
紙葉類が集積される集積領域と、当該集積領域から退避した退避領域との間で移動自在に設けられ、前記紙葉類処理装置の本体部分から送られた紙葉類を整列させて前記集積部に集積させる整列機構と、
前記整列機構が前記退避領域から前記集積領域に移動しないよう当該整列機構を前記退避領域でロックするロック部と、
を備えた、紙葉類収納カセット。
【請求項２】
前記ロック部は、前記紙葉類処理装置から前記紙葉類収納カセットが取り出される際に前記整列機構を前記退避領域でロックするようになっている、請求項１記載の紙葉類収納カセット。
【請求項３】
前記紙葉類処理装置には、前記紙葉類収納カセットが載せられる載せ台が当該紙葉類処理装置の筐体から手前側に引き出し可能に設けられており、
前記載せ台の前面には、当該載せ台を前記紙葉類処理装置の筐体から手前側に引き出す際に操作される取っ手が設けられており、
前記ロック部は、前記取っ手が操作されたときに前記整列機構を前記退避領域でロックするようになっている、請求項２記載の紙葉類収納カセット。
【請求項４】
前記整列機構は、前記紙葉類処理装置の本体部分から送られた紙葉類を叩くことにより整列させる集積レバーを含む、請求項１乃至３のいずれか一項に記載の紙葉類収納カセット。
【請求項５】
前記整列機構は、前記集積部に紙葉類が集積される方向に沿って移動自在となっており、前記紙葉類処理装置の本体部分から送られた紙葉類を一時的に保留する一時保留部材を含む、請求項１乃至４のいずれか一項に記載の紙葉類収納カセット。
【請求項６】
前記集積部に集積された紙葉類を前記紙葉類処理装置の前記本体部分に１枚ずつ繰り出すための繰出部を更に備え、
前記集積部は、当該集積部に紙葉類が集積される方向に沿って移動自在となっており、
前記一時保留部材は、前記繰出部と前記集積部との間に設けられており、当該一時保留部材には、前記集積部が前記繰出部に向かって移動する際に当該集積部に集積された紙葉類をその幅方向に揃えるよう案内する案内部材が設けられている、請求項５記載の紙葉類収納カセット。
【請求項７】
前記案内部材における前記集積部に近い側の端部には、前記集積部に紙葉類が集積される方向に対して傾斜した傾斜面が設けられており、前記集積部が前記繰出部に向かって移動する際に当該集積部に集積された紙葉類は前記傾斜面に沿って案内されるようになっている、請求項６記載の紙葉類収納カセット。
【請求項８】
前記集積部に集積された紙葉類が前記繰出部により前記紙葉類処理装置の前記本体部分に繰り出される前に前記集積部が前記繰出部に向かって移動する動作および前記集積部が前記繰出部から遠ざかるよう移動する動作が交互に複数回行われるようになっており、前記集積部が前記繰出部に向かって移動する度に前記案内部材により前記集積部に集積された紙葉類がその幅方向に揃えられるようになっている、請求項６または７記載の紙葉類収納カセット。
【請求項９】
前記集積部に集積された紙葉類を前記紙葉類処理装置の前記本体部分に１枚ずつ繰り出すための繰出部を更に備え、
前記集積部は、当該集積部に紙葉類が集積される方向に沿って移動自在となっており、
前記紙葉類処理装置から前記紙葉類収納カセットが取り出されると、前記集積領域が大きくなる方向に前記集積部が移動することができなくなるよう前記集積部を規制する規制機構が設けられている、請求項１乃至５のいずれか一項に記載の紙葉類収納カセット。
【請求項１０】
前記規制機構による前記集積部の規制状態を解除するための規制解除部が設けられている、請求項９記載の紙葉類収納カセット。
【請求項１１】
請求項１乃至１０のいずれか一項に記載の紙葉類収納カセットが着脱自在に筐体の内部に収容される、紙葉類処理装置。
【発明の詳細な説明】
【技術分野】
【０００１】
本発明は、紙葉類の処理を行う紙葉類処理装置に対して着脱自在となっている紙葉類収納カセットおよびこのような紙葉類収納カセットが着脱自在に筐体の内部に収容される紙葉類処理装置に関する。
【背景技術】
【０００２】
従来から、紙幣の入出金処理を行う紙幣処理装置が金融機関等で用いられており、このような紙幣処理装置には、筐体内の各収納部から回収された紙幣が収納される紙幣収納カセットが着脱自在に設けられている。このような紙幣処理装置において各収納部から紙幣収納カセットに送られた紙幣が回収される際に、当該紙幣収納カセットが紙幣処理装置の筐体の内部から外部に取り出された後に紙幣収納カセットが運搬されるようになるが、特許文献１に開示される紙幣収納カセットでは、運搬時において内部に収納されている紙幣の積層状態に乱れが生じないようにするために、紙幣が集積される集積ステージをロックする技術が開示されている。
【０００３】
また、従来では、紙幣処理装置の本体部分から送られた紙幣を叩くことにより整列させる集積レバーや、紙幣処理装置の本体部分から送られた紙幣を一時的に保留する一時保留板がそれぞれ集積ステージの上方に設けられた紙幣収納カセットが用いられる場合がある。
【先行技術文献】
【特許文献】
【０００４】
【特許文献１】特開２０００−２０７８７号公報
【発明の概要】
【発明が解決しようとする課題】
【０００５】
しかしながら、上記の集積レバーや一時保留板等が集積ステージの上方に設けられた紙幣収納カセットでは、当該紙幣収納カセットを紙幣処理装置の筐体の内部から外部に取り出した後にこの紙幣収納カセットの扉を開いて集積ステージ上の紙幣を手動で取り出したり集積ステージ上に紙幣を装填したりするときに、集積レバーや一時保留板等が紙幣の集積領域に位置しているときにはこれらの集積レバーや一時保留板等が作業の邪魔になってしまうという問題がある。
【０００６】
本発明は、このような点を考慮してなされたものであり、紙葉類収納カセットの扉を開いて集積部上の紙葉類を手動で取り出したり紙葉類を装填したりするときに整列機構が邪魔とならないため作業効率を向上させることができる紙葉類収納カセットおよび紙葉類処理装置を提供することを目的とする。
【課題を解決するための手段】
【０００７】
本発明の紙葉類収納カセットは、紙葉類の処理を行う紙葉類処理装置に対して着脱自在となっている紙葉類収納カセットであって、複数の紙葉類が集積される集積部と、紙葉類が集積される集積領域と、当該集積領域から退避した退避領域との間で移動自在に設けられ、前記紙葉類処理装置の本体部分から送られた紙葉類を整列させて前記集積部に集積させる整列機構と、前記整列機構が前記退避領域から前記集積領域に移動しないよう当該整列機構を前記退避領域でロックするロック部と、を備えたことを特徴とする。
【０００８】
このような紙葉類収納カセットによれば、紙葉類処理装置の本体部分から送られた紙葉類を整列させて集積部に集積させるための整列機構が退避領域から集積領域に移動しないよう当該整列機構を退避領域でロックするロック部が設けられていることにより、紙葉類収納カセットの扉を開いて集積部上の紙葉類を手動で取り出したり紙葉類を装填したりするときに整列機構が邪魔とならないため作業効率を向上させることができる。
【０００９】
上記の紙葉類収納カセットにおいては、前記ロック部は、前記紙葉類処理装置から前記紙葉類収納カセットが取り出される際に前記整列機構を前記退避領域でロックするようになっていてもよい。
【００１０】
この場合、前記紙葉類処理装置には、前記紙葉類収納カセットが載せられる載せ台が当該紙葉類処理装置の筐体から手前側に引き出し可能に設けられており、前記載せ台の前面には、当該載せ台を前記紙葉類処理装置の筐体から手前側に引き出す際に操作される取っ手が設けられており、前記ロック部は、前記取っ手が操作されたときに前記整列機構を前記退避領域でロックするようになっていてもよい。
【００１１】
上記の紙葉類収納カセットにおいては、前記整列機構は、前記紙葉類処理装置の本体部分から送られた紙葉類を叩くことにより整列させる集積レバーを含んでいてもよい。
【００１２】
上記の紙葉類収納カセットにおいては、前記整列機構は、前記集積部に紙葉類が集積される方向に沿って移動自在となっており、前記紙葉類処理装置の本体部分から送られた紙葉類を一時的に保留する一時保留部材を含んでいてもよい。
【００１３】
上記の紙葉類収納カセットは、前記集積部に集積された紙葉類を前記紙葉類処理装置の前記本体部分に１枚ずつ繰り出すための繰出部を更に備え、前記集積部は、当該集積部に紙葉類が集積される方向に沿って移動自在となっており、前記一時保留部材は、前記繰出部と前記集積部との間に設けられており、当該一時保留部材には、前記集積部が前記繰出部に向かって移動する際に当該集積部に集積された紙葉類をその幅方向に揃えるよう案内する案内部材が設けられていてもよい。
【００１４】
この場合、前記案内部材における前記集積部に近い側の端部には、前記集積部に紙葉類が集積される方向に対して傾斜した傾斜面が設けられており、前記集積部が前記繰出部に向かって移動する際に当該集積部に集積された紙葉類は前記傾斜面に沿って案内されるようになっていてもよい。
【００１５】
また、前記集積部に集積された紙葉類が前記繰出部により前記紙葉類処理装置の前記本体部分に繰り出される前に前記集積部が前記繰出部に向かって移動する動作および前記集積部が前記繰出部から遠ざかるよう移動する動作が交互に複数回行われるようになっており、前記集積部が前記繰出部に向かって移動する度に前記案内部材により前記集積部に集積された紙葉類がその幅方向に揃えられるようになっていてもよい。
【００１６】
上記の紙葉類収納カセットは、前記集積部に集積された紙葉類を前記紙葉類処理装置の前記本体部分に１枚ずつ繰り出すための繰出部を更に備え、前記集積部は、当該集積部に紙葉類が集積される方向に沿って移動自在となっており、前記紙葉類処理装置から前記紙葉類収納カセットが取り出されると、前記集積領域が大きくなる方向に前記集積部が移動することができなくなるよう前記集積部を規制する規制機構が設けられていてもよい。
【００１７】
この場合、前記規制機構による前記集積部の規制状態を解除するための規制解除部が設けられていてもよい。
【００１８】
本発明の紙葉類処理装置は、上記の紙葉類収納カセットが着脱自在に筐体の内部に収容されることを特徴とする。
【発明の効果】
【００１９】
本発明の紙葉類収納カセットおよび紙葉類処理装置によれば、紙葉類収納カセットの扉を開いて集積部上の紙葉類を手動で取り出したり紙葉類を装填したりするときに整列機構が邪魔とならないため作業効率を向上させることができる。
【図面の簡単な説明】
【００２０】
【図１】本発明の実施の形態による貨幣処理システムの構成を示す斜視図である。
【図２】図１に示す貨幣処理システムにおける紙幣処理装置の内部構成を示す構成図である。
【図３】図１に示す貨幣処理システムの筐体の前面から紙幣収納カセットの載せ台および下扉を手前側に引き出したときの状態を示す斜視図である。
【図４】図１に示す貨幣処理システムの筐体の前面から紙幣収納カセットの載せ台および下扉を手前側に引き出したときの状態を示す側面図である。
【図５】図４に示す状態から紙幣収納カセットを載せ台から上方に取り出したときの状態を示す側面図である。
【図６】本発明の実施の形態による紙幣収納カセットの内部構成を示す側面図であって、集積レバーおよび一時保留板がそれぞれ集積領域に位置しているときの状態を示す図である。
【図７】本発明の実施の形態による紙幣収納カセットの内部構成を示す側面図であって、集積レバーおよび一時保留板がそれぞれ退避領域に位置しているときの状態を示す図である。
【図８】図６等に示す紙幣収納カセットを左側から見たときの内部構成を示す側面図である。
【図９】図６等に示す紙幣収納カセットに設けられた繰出ベルトの駆動系の構成を示す斜視図である。
【図１０】図６等に示す紙幣収納カセットに設けられた集積レバーの駆動系の構成を示す斜視図である。
【図１１】図６等に示す紙幣収納カセットに設けられた一時保留板の駆動系の構成を示す斜視図である。
【図１２】図６等に示す紙幣収納カセットに設けられた集積ステージの駆動系の構成を示す斜視図である。
【図１３】図６等に示す紙幣収納カセットに設けられたロック機構をある方向から見たときの構成を示す斜視図である。
【図１４】図６等に示す紙幣収納カセットに設けられたロック機構を別の方向から見たときの構成を示す斜視図である。
【図１５】図１３等に示すロック機構におけるロック板等の構成の詳細を示す斜視図である。
【図１６】図１３等に示すロック機構の側面図であって、取っ手が操作されていないときの状態を示す図である。
【図１７】図１３等に示すロック機構の側面図であって、取っ手が操作されることによってロック板により集積レバーおよび一時保留板のロックが行われたときの状態を示す図である。
【図１８】図６等に示す紙幣収納カセットが載せ台に載せられたときの外観を示す斜視図であって、当該紙幣収納カセットの側面に設けられた扉が開かれていないときの状態を示す図である。
【図１９】図６等に示す紙幣収納カセットが載せ台に載せられたときの外観を示す斜視図であって、当該紙幣収納カセットの側面に設けられた扉が開かれているときの状態を示す図である。
【図２０】図６等に示す紙幣収納カセットが載せ台から上方に離間しているときの駆動系の構成を示す側面図である。
【図２１】図６等に示す紙幣収納カセットを載せ台に載せたときの駆動系の構成を示す側面図である。
【図２２】図６等に示す紙幣収納カセットに設けられた集積ステージの駆動系の構成を示す上面図であって、紙幣収納カセットが載せ台から取り出されているときの状態を示す図である。
【図２３】図６等に示す紙幣収納カセットに設けられた集積ステージの駆動系の構成を示す上面図であって、紙幣収納カセットが載せ台から取り出されているときの状態を示す図である。
【図２４】図６等に示す紙幣収納カセットに設けられた集積ステージの駆動系の構成を示す上面図であって、紙幣収納カセットを載せ台に載せたときの状態を示す図である。
【図２５】図６等に示す紙幣収納カセットに設けられた集積ステージの駆動系の構成を示す上面図であって、紙幣収納カセットを載せ台に載せた後に当該載せ台を貨幣処理システムの筐体の内部に収容したときの状態を示す図である。
【図２６】図６等に示す紙幣収納カセットが載せ台から上方に離間しているときの紙幣収納カセットのコネクタおよび載せ台のコネクタの位置関係を示す側面図である。
【図２７】図６等に示す紙幣収納カセットを載せ台に載せる途中段階における紙幣収納カセットのコネクタおよび載せ台のコネクタの位置関係を示す側面図である。
【図２８】図６等に示す紙幣収納カセットを載せ台に載せたときの紙幣収納カセットのコネクタおよび載せ台のコネクタの位置関係を示す側面図である。
【発明を実施するための形態】
【００２１】
以下、図面を参照して本発明の実施の形態について説明する。図１乃至図２８は、本実施の形態による紙幣収納カセットおよびこのような紙幣収納カセットが着脱自在に筐体の内部に収容される紙幣処理装置を示す図である。
【００２２】
まず、図１を用いて本実施の形態による貨幣処理システム１０の全体構成について説明する。図１に示すように、本実施の形態による貨幣処理システム１０は略直方体形状の筐体１２を有しており、当該貨幣処理システム１０において紙幣処理装置２０および硬貨処理装置８０が並列に配設されている。より詳細には、本実施の形態による貨幣処理システム１０を正面側から見て左側に紙幣処理装置２０が配置されているとともに右側に硬貨処理装置８０が配置されている。ここで、紙幣処理装置２０は、紙幣の入出金処理等を行う紙幣入出金装置であり、硬貨処理装置８０は、硬貨の入出金処理等を行う硬貨入出金装置である。
【００２３】
図１に示すように、紙幣処理装置２０の前面には上方から順に紙幣入金口２２および紙幣出金口２４が設けられている。また、紙幣処理装置２０の前面において紙幣出金口２４の下方には、本実施の形態による紙幣収納カセット５０が載せられる載せ台３０が貨幣処理システム１０の筐体１２の手前側に引き出し可能に設けられている。ここで、図３および図４に示すように、紙幣収納カセット５０が載せられる載せ台３０は、貨幣処理システム１０の筐体１２の前面下部に設けられた下扉１２ａと一体的に貨幣処理システム１０の筐体１２の手前側に引き出すことができるようになっている。また、図５に示すように、載せ台３０を貨幣処理システム１０の筐体１２の手前側に引き出した後、この載せ台３０から紙幣収納カセット５０を上方に取り出すことができるようになっている。このような載せ台３０は紙幣処理装置２０の高さ方向における中間位置に配置されている。また、紙幣処理装置２０の前面において載せ台３０の更に下方には出金リジェクト部３４が設けられている。
【００２４】
また、図１に示すように、硬貨処理装置８０の前面上部には硬貨入金口８２が設けられており、この硬貨処理装置８０の前面中段には硬貨出金ボックス８４が貨幣処理システム１０の筐体１２に対して着脱自在に設置されている。ここで、紙幣処理装置２０の筐体の外部から内部に紙幣を投入するための紙幣入金口２２と、硬貨処理装置８０の筐体の外部から内部に硬貨を投入するための硬貨入金口８２とが、貨幣処理システム１０の高さ方向における略同一位置に配置されている。
【００２５】
また、図１に示すように、貨幣処理システム１０の上面前方の両端部にはそれぞれ第１の占有ボタン１４および第２の占有ボタン１６が設けられている。銀行等の金融機関において、図１に示す貨幣処理システム１０が窓口の２人のテラーの間に配置され、２人のテラーにより貨幣処理システム１０の双頭運用が行われる場合には、各テラーは対応する占有ボタン１４、１６を押下することにより、貨幣処理システム１０の占有を行うことができるようになる。
【００２６】
次に、本実施の形態の貨幣処理システム１０における紙幣処理装置２０の構成について図２を用いて説明する。図２は、図１に示す貨幣処理システム１０における紙幣処理装置２０の内部構成を示す構成図である。図２に示すように、紙幣処理装置２０の紙幣入金口２２には搬送部２６が接続されており、紙幣入金口２２に投入された紙幣は図示しない繰出機構によって搬送部２６に１枚ずつ繰り出され、当該搬送部２６により紙幣が１枚ずつ搬送されるようになっている。また、搬送部２６には識別部２８が設けられており、当該搬送部２６により搬送される紙幣は識別部２８によりその金種、真偽、正損、表裏等の識別が行われるようになっている。
【００２７】
また、搬送部２６には紙幣出金口２４、五千円紙幣用集積部３２、出金リジェクト部３４、千円紙幣用集積部３６、一万円紙幣用集積部３８がそれぞれ接続されており、搬送部２６からこれらの紙幣出金口２４、五千円紙幣用集積部３２、出金リジェクト部３４、千円紙幣用集積部３６、一万円紙幣用集積部３８の各々に紙幣を送って集積させることができるようになっている。なお、五千円紙幣用集積部３２は後述する紙幣収納カセット５０内に設けられており、紙幣処理装置２０の前面から載せ台３０を手前側に引き出した後、紙幣収納カセット５０を載せ台３０から上方に持ち上げることにより（図５参照）、操作者は紙幣収納カセット５０の側面に設けられた扉５０ｂ（図１８および図１９参照）を開いて五千円紙幣用集積部３２内にアクセスすることができるようになる。また、この五千円紙幣用集積部３２には、五千円紙幣だけではなく二千円紙幣も集積させることができるようになっている。また、本実施の形態では、五千円紙幣用集積部３２、千円紙幣用集積部３６および一万円紙幣用集積部３８の各々の設置箇所は図２に示すような場所に限定されることはなく、これらの集積部３２、３６、３８に集積されるべき紙幣の金種を他の金種に変更することも可能である。
【００２８】
本実施の形態の紙幣処理装置２０では、図２に示すように、紙幣処理装置２０の奥行き方向における、紙幣処理装置２０の筐体から着脱自在となっている紙幣収納カセット５０よりも奥側に、搬送部２６におけるループ形状の搬送路２６ａが配設されており、このループ形状の搬送路２６ａに識別部２８が設けられている。
【００２９】
また、五千円紙幣用集積部３２、千円紙幣用集積部３６および一万円紙幣用集積部３８にはそれぞれ繰出機構が設けられており、これらの五千円紙幣用集積部３２、千円紙幣用集積部３６および一万円紙幣用集積部３８に集積された紙幣を当該繰出機構により搬送部２６に１枚ずつ繰り出すことができるようになっている。五千円紙幣用集積部３２に設けられた繰出機構（具体的には、繰出ベルト６０）の構成の詳細については後述する。
【００３０】
次に、本実施の形態の紙幣処理装置２０に設けられた紙幣収納カセット５０の構成の詳細について図６乃至図８を用いて説明する。図６は、紙幣収納カセット５０の内部構成を示す側面図であって、集積レバー５４および一時保留板５６がそれぞれ集積領域に位置しているときの状態を示す図であり、図７は、紙幣収納カセット５０の内部構成を示す側面図であって、集積レバー５４および一時保留板５６がそれぞれ退避領域に位置しているときの状態を示す図である。また、図８は、図６等に示す紙幣収納カセット５０を左側から見たときの内部構成を示す側面図である。
【００３１】
図６等に示すように、紙幣収納カセット５０の内部には、複数の紙幣が積層状態で載置される集積ステージ５２が設けられている。より詳細には、紙幣収納カセット５０の側面上部には紙幣投出入口５３が設けられており、搬送部２６からこの紙幣投出入口５３を通って紙幣収納カセット５０の内部に送られた紙幣が集積ステージ５２上に積層状態で集積されるようになっている。ここで、集積ステージ５２は図６等における上下方向に移動自在となっており、搬送部２６からこの紙幣投出入口５３を通って紙幣収納カセット５０の内部に紙幣が送られる度に、集積ステージ５２は少しずつ下降するようになっている。また、紙幣収納カセット５０から搬送部２６に紙幣を繰り出すときには、集積ステージ５２が上方に移動することによりこの集積ステージ５２に積層状態で集積された複数の紙幣のうち最上層の紙幣を後述する繰出ベルト６０に接触させるようになっている。
【００３２】
また、紙幣収納カセット５０の内部における上部位置には複数の集積レバー５４（具体的には、図１０に示すように４つの集積レバー５４）が設けられており、各集積レバー５４はその基端部分に設けられた軸５５を中心として所定の角度（例えば、４５°）の範囲内で揺動するようになっている。搬送部２６から紙幣投出入口５３を通って紙幣収納カセット５０の内部に送られた紙幣は、各集積レバー５４の先端部分によってその上面が上方から叩かれることにより集積ステージ５２上に整列させられるようになっている。
【００３３】
紙幣収納カセット５０の内部において集積ステージ５２の上方には一時保留板５６が設けられており、搬送部２６から紙幣投出入口５３を通って紙幣収納カセット５０の内部に送られた紙幣はまずこの一時保留板５６上に集積されるようになっている。このような一時保留板５６は、集積ステージ５２と同様に図６等における上下方向に移動自在となっている。そして、一時保留板５６上に１または複数の紙幣が集積された後、紙幣処理装置２０の制御部（図示せず）に対して所定の指令（例えば、紙幣の入金処理時における入金確定の指令）が与えられることにより、一時保留板５６は図７に示すような繰出ベルト６０より上方に位置する退避領域（後述）に移動するようになり、この一時保留板５６上の紙幣は当該一時保留板５６から落下して集積ステージ５２上に集積されるようになる。一方、一時保留板５６上に１または複数の紙幣が集積された後、紙幣処理装置２０の制御部（図示せず）に対して紙幣の返却指令が与えられると、一時保留板５６上に集積された紙幣は後述する繰出ベルト６０により紙幣投出入口５３を介して搬送部２６に繰り出され、紙幣出金口２４に当該紙幣が送られるようになる。また、図６および図７に示すように、一時保留板５６を支持する一時保留板支持部材５８が紙幣収納カセット５０の内部に設けられており、当該一時保留板支持部材５８が図６等における上下方向に移動することにより一時保留板５６が一時保留板支持部材５８と一体的に図６等における上下方向に移動するようになっている。
【００３４】
また、図６乃至図８に示すように、紙幣収納カセット５０の内部における上部位置には複数（具体的には、例えば３つ）の繰出ベルト６０が並列に設けられている。各繰出ベルト６０は、材料が例えばゴム等である無端状の循環ベルトから構成されている。紙幣収納カセット５０において集積ステージ５２上に集積されている紙幣を当該紙幣収納カセット５０から搬送部２６に繰り出す際には、各繰出ベルト６０を図６や図７における時計回りの方向に循環移動させるとともに集積ステージ５２を図６における上方に移動させる。このことにより、集積ステージ５２上に積層状態で集積された複数の紙幣のうち最上層の紙幣が各繰出ベルト６０に接触し、当該各繰出ベルト６０により紙幣が１枚ずつ紙幣投出入口５３を介して搬送部２６に繰り出されるようになる。
【００３５】
次に、図６等に示す紙幣収納カセット５０に設けられた繰出ベルト６０、集積レバー５４、一時保留板５６および集積ステージ５２の各々の駆動系の構成について図９乃至図１２を用いて説明する。
【００３６】
まず、繰出ベルト６０の駆動系の構成について図９を用いて説明する。図９に示すように、各繰出ベルト６０の駆動を行う駆動機構１００において、並列に設けられた３つの繰出ベルト６０の各々は一対のプーリ１０２、１０３により張架されており、各プーリ１０２の中心部には一本の軸１０４が取り付けられている。ここで、軸１０４が回転すると各プーリ１０２が同期して回転し、よって各繰出ベルト６０が同期して循環移動を行うようになる。また、この軸１０４の端部にはプーリ１０６が設けられており、このプーリ１０６には循環ベルト１０８が張架されている。また、循環ベルト１０８はプーリ１１０にも張架されており、このプーリ１１０にはギヤ１１２が同軸で設けられている。ここで、プーリ１１０およびギヤ１１２は同期して回転するようになっている。また、このギヤ１１２はギヤ１１４に噛み合うようになっており、ギヤ１１４はギヤ１１６に噛み合うようになっている。また、駆動機構１００において、ギヤ１１６を回転駆動させる駆動モータ１２０が設けられており、当該駆動モータ１２０がギヤ１１６を回転駆動させることにより各繰出ベルト６０が循環移動を行うようになっている。ここで、本実施の形態では、各プーリ１０２、各プーリ１０３、軸１０４、プーリ１０６、循環ベルト１０８、プーリ１１０、ギヤ１１２およびギヤ１１４は紙幣収納カセット５０側に設けられており、ギヤ１１６および駆動モータ１２０は載せ台３０側に設けられている。また、駆動機構１００において、駆動モータ１２０の近傍には、紙幣収納カセット５０側に設けられた後述するピン１３６を保持するためのピン保持部材１１８が載せ台３０側に設けられている。
【００３７】
次に、集積レバー５４の駆動系の構成について図１０を用いて説明する。図１０に示すように、各集積レバー５４の駆動を行う駆動機構２００において、左右一対の集積レバー５４の基端部には軸５５が設けられており各集積レバー５４は軸５５を中心として所定の角度（例えば、４５°）の範囲内で揺動するようになっている。ここで、図１０に示される２本の軸５５のうち一方の軸５５（具体的には、図１０における奥側の軸５５）はカム部材２０２を介してギヤ２０４に取り付けられており、ギヤ２０４が回転すると、カム部材２０２により当該一方の軸５５は所定の角度の範囲内で正逆両方向に交互に回転するようになっている。また、このギヤ２０４はギヤ２０６と噛み合うようになっており、ギヤ２０６はギヤ２１０と噛み合うようになっている。また、他方の軸５５（具体的には、図１０における手前側の軸５５）はカム部材２０８を介してギヤ２１０に取り付けられており、ギヤ２１０が回転すると、カム部材２０８により当該他方の軸５５は所定の角度の範囲内で正逆両方向に交互に回転するようになっている。また、ギヤ２１０にはギヤ２１２が同軸で取り付けられており、これらのギヤ２１０、２１２は同期して回転するようになっている。また、このギヤ２１２にはギヤ２１４が噛み合うようになっており、ギヤ２１４にはギヤ２１６が噛み合うようになっている。また、ギヤ２１６にはギヤ２１８が同軸で取り付けられており、これらのギヤ２１６、２１８は同期して回転するようになっている。また、このギヤ２１８にはギヤ２２０が噛み合うようになっており、ギヤ２２０にはギヤ２２２が噛み合うようになっている。また、駆動機構２００において、ギヤ２２２を回転駆動させる駆動モータ２３０が設けられており、当該駆動モータ２３０がギヤ２２２を回転駆動させることにより各集積レバー５４が揺動するようになっている。ここで、本実施の形態では、カム部材２０２、ギヤ２０４、ギヤ２０６、カム部材２０８、ギヤ２１０、ギヤ２１２、ギヤ２１４、ギヤ１２６、ギヤ２１８およびギヤ２２０は紙幣収納カセット５０側に設けられており、ギヤ２２２および駆動モータ２３０は載せ台３０側に設けられている。また、駆動機構２００において、駆動モータ２３０の近傍には、紙幣収納カセット５０側に設けられた後述するピン２４４を保持するためのピン保持部材２２４が載せ台３０側に設けられている。
【００３８】
次に、一時保留板５６の駆動系の構成について図１１を用いて説明する。図１１に示すように、一時保留板５６の駆動を行う駆動機構３００において、一時保留板５６を支持する一時保留板支持部材５８には鉛直方向に延びるラック３０２が設けられており、当該ラック３０２の歯にはピニオン３０４が噛み合うようになっている。ここで、ピニオン３０４が回転することによりラック３０２が鉛直方向に移動し、よって一時保留板５６および一時保留板支持部材５８が一体的に図６における上下方向に移動するようになる。また、ピニオン３０４には同軸でプーリ３０６が設けられており、このプーリ３０６には循環ベルト３０８が張架されている。また、この循環ベルト３０８は図示しないプーリに張架されており、このプーリにはギヤ３１０が同軸で取り付けられている。ここで、循環ベルト３０８を張架する図示しないプーリおよびギヤ３１０は同期して回転するようになっている。また、駆動機構３００において、ギヤ３１０に噛み合うギヤ３１２（図２０および図２１参照、図１１では図示せず）を正逆両方向に回転駆動させることができる駆動モータ３２０が設けられており、当該駆動モータ３２０がギヤ３１２を正方向または逆方向に回転駆動させることにより一時保留板５６が一時保留板支持部材５８と一体的に図６における上下方向に移動するようになっている。ここで、本実施の形態では、ラック３０２、ピニオン３０４、プーリ３０６、循環ベルト３０８、ギヤ３１０は紙幣収納カセット５０側に設けられており、ギヤ３１２および駆動モータ３２０は載せ台３０側に設けられている。また、駆動機構３００において、駆動モータ３２０の近傍には、紙幣収納カセット５０側に設けられた後述するピン３２６を保持するためのピン保持部材３１４が載せ台３０側に設けられている。
【００３９】
次に、集積ステージ５２の駆動系の構成について図１２を用いて説明する。図１２に示すように、集積ステージ５２の駆動を行う駆動機構４００において、鉛直方向にそれぞれ延びる案内棒４０２およびネジ棒４０４が平行に設けられており、集積ステージ５２の第１の取付部５２ａに設けられた貫通穴に案内棒４０２が挿入されることにより当該集積ステージ５２は案内棒４０２に沿って鉛直方向に案内されるようになっている。また、集積ステージ５２の第２の取付部５２ｂに設けられた貫通穴の内周面には、ネジ棒４０４において螺旋形状に設けられた凹部分に挿入される凸部分が形成されている。このことにより、ネジ棒４０４が回転すると、集積ステージ５２は案内棒４０２に沿って図１２における上下方向に移動することができるようになる。また、ネジ棒４０４の下端部にはギヤ４０６が設けられており、このギヤ４０６にはギヤ４１２が噛み合うようになっている。また、図２４および図２５に示すようにギヤ４１２にはギヤ４１４が噛み合うようになっている（図１２ではギヤ４１４は図示されていない）。また、駆動機構４００において、ギヤ４１４を正逆両方向に回転駆動させることができる駆動モータ４３０が設けられており、当該駆動モータ４３０がギヤ４１４を正方向または逆方向に回転駆動させることにより集積ステージ５２が図６における上下方向に移動するようになっている。また、ギヤ４０６の下部には図示しないプーリが取り付けられており、ギヤ４０６およびこのプーリは同期して回転するようになっている。また、このプーリには循環ベルト４０８が張架されており、この循環ベルト４０８はプーリ４１０にも張架されている。本実施の形態では、案内棒４０２、ネジ棒４０４、ギヤ４０６、循環ベルト４０８、プーリ４１０は紙幣収納カセット５０側に設けられており、ギヤ４１２、ギヤ４１４および駆動モータ４３０は載せ台３０側に設けられている。
【００４０】
本実施の形態では、集積レバー５４および一時保留板５６により、紙幣処理装置２０の本体部分から紙幣収納カセット５０に送られた紙幣を当該紙幣収納カセット５０の内部で整列させて集積ステージ５２に集積させるための整列機構が構成されている。そして、このような整列機構は、紙幣収納カセット５０の内部における紙幣が集積される集積領域（具体的には、繰出ベルト６０よりも下方の領域）と、当該集積領域から上方に退避した退避領域（具体的には、繰出ベルト６０よりも上方の領域）との間で移動自在となっている。なお、図６は、整列機構としての集積レバー５４および一時保留板５６がそれぞれ集積領域に位置しているときの状態を示す図であり、図７は、整列機構としての集積レバー５４および一時保留板５６がそれぞれ集積領域から上方に退避した退避領域に位置しているときの状態を示す図である。
【００４１】
従来技術では、当該紙幣収納カセットが載せられた載せ台を紙幣処理装置の筐体の手前側に引き出してこの載せ台から紙幣収納カセットを上方に取り出した後にこの紙幣収納カセットの扉を開いて集積ステージ上の紙幣を手動で取り出したり集積ステージ上に紙幣を装填したりするときに、集積レバーや一時保留板等が紙幣の集積領域に位置しているときにはこれらの集積レバーや一時保留板等が作業の邪魔になってしまうという問題があった。これに対し、本実施の形態では、紙幣収納カセット５０が貨幣処理システム１０の筐体１２の外部に完全に取り出されたときに、集積レバー５４および一時保留板５６からなる整列機構が退避領域から集積領域に移動しないよう当該整列機構を後述するロック板７６によって退避領域でロックすることにより、紙幣収納カセット５０の扉５０ｂ（図１８および図１９参照）を開いて集積ステージ５２上の紙幣を手動で取り出したり紙幣を装填したりするときに整列機構が邪魔とならないようにしている。このようなロック板７６を含むロック機構７０の構成について図１３乃至図１７を用いて以下に説明する。なお、図１３は、図６等に示す紙幣収納カセット５０に設けられたロック機構７０をある方向から見たときの構成を示す斜視図であり、図１４は、図６等に示す紙幣収納カセット５０に設けられたロック機構７０を別の方向から見たときの構成を示す斜視図である。また、図１５は、図１３等に示すロック機構７０におけるロック板７６等の構成の詳細を示す斜視図である。また、図１６は、図１３等に示すロック機構７０の側面図であって、取っ手７１が操作されていないときの状態を示す図であり、図１７は、図１３等に示すロック機構７０の側面図であって、取っ手７１が操作されることによりロック板７６によって集積レバー５４および一時保留板５６のロックが行われたときの状態を示す図である。
【００４２】
本実施の形態において、図４に示すように、載せ台３０の前面には、当該載せ台３０を貨幣処理システム１０の筐体１２から手前側に引き出す際に操作される取っ手７１が設けられている。具体的には、取っ手７１が操作者によって操作されていないときには、図１７に示すような載せ台３０側に設けられた係合部材７９が貨幣処理システム１０の筐体１２側に設けられたピン部材１２ｂに係合することにより載せ台３０を貨幣処理システム１０の筐体１２から手前側に引き出すことができないようになっている。一方、操作者がこの取っ手７１を引くと、係合部材７９が軸７９ａ（図１７参照）を中心として時計回りの方向に回転し、載せ台３０側の係合部材７９が貨幣処理システム１０の筐体１２側のピン部材１２ｂから外れるようになる。このことにより、載せ台３０を貨幣処理システム１０の筐体１２から手前側に引き出すことができるようになる。また、取っ手７１の基端部分には軸７２が設けられており、操作者により取っ手７１が手前側（すなわち、図１７における左方向）に引かれると軸７２が図１７における時計回りの方向に回転するようになっている。また、軸７２には第１のリンク部材７３が取り付けられており、軸７２が回転するとこの第１のリンク部材７３も軸７２を中心として回転するようになっている。また、第１のリンク部材７３の下端部は軸７３ａを介して第２のリンク部材７４が接続されており、第１のリンク部材７３が図１７における時計回りの方向に回転すると第２のリンク部材７４は図１６や図１７における左右方向に移動するようになっている。
【００４３】
また、図１６や図１７に示すように、第２のリンク部材７４の右端部の近傍には第３のリンク部材７５が設けられている。ここで、第３のリンク部材７５は軸７５ａを中心として回転自在となっている。また、第３のリンク部材７５の下端部にはピン部材７５ｂが設けられており、図１６や図１７において第２のリンク部材７４が右側に移動すると、この第２のリンク部材７４の右端部により第３のリンク部材７５のピン部材７５ｂが図１６や図１７における右側に押動されるようになっている。また、第３のリンク部材７５の上端部には、後述するロック板７６を押動するためのピン部材７５ｃが設けられている。
【００４４】
ロック板７６は、各集積レバー５４の駆動を行う駆動機構２００に設けられたギヤ２０４（図１０参照）の歯の間に進出することにより当該ギヤ２０４を強制的に停止させるための第１のロック部分７６ａと、一時保留板５６を支持する一時保留板支持部材５８に設けられた被ロック部５８ａ（図１１参照）をロックするための第２のロック部分７６ｂとを有している。また、図１６や図１７に示すように、ロック板７６の右端部には、第３のリンク部材７５のピン部材７５ｃにより押動される被押動板７６ｃが設けられている。また、図１３乃至図１７に示すようなロック機構７０において、第２のリンク部材７４を図１６や図１７における右方向に引っ張るための第１の引っ張りバネ７８ａ、ロック板７６の右端部を図１６や図１７における右方向に引っ張るための第２の引っ張りバネ７８ｂおよび第３のリンク部材７５における軸７５ａよりも下側の箇所を図１６や図１７における左方向に引っ張るための第３の引っ張りバネ７８ｃがそれぞれ設けられている。
【００４５】
本実施の形態では、上述したロック機構７０のうち、取っ手７１、軸７２、第１のリンク部材７３、第２のリンク部材７４、第３のリンク部材７５、係合部材７９、第２の引っ張りバネ７８ｂおよび第３の引っ張りバネ７８ｃは載せ台３０側に設けられている。一方、上述したロック機構７０のうち、ロック板７６および第１の引っ張りバネ７８ａは紙幣収納カセット５０側に設けられている。
【００４６】
ここで、紙幣収納カセット５０が載せられた載せ台３０が貨幣処理システム１０の筐体１２の内部に収容されている場合において、操作者によって取っ手７１が操作されていないときには、図１６に示すように、第１の引っ張りバネ７８ａによって第２のリンク部材７４が図１６における右方向に引っ張られることにより、この第２のリンク部材７４の右端部によって第３のリンク部材７５のピン部材７５ｂが右方向に押動され、当該第３のリンク部材７５は軸７５ａを中心として図１６における反時計回りの方向に力が付勢されるようになる。このことにより、第３のリンク部材７５のピン部材７５ｃによってロック板７６の被押動板７６ｃが図１６における左方向に押動され、このロック板７６に対して図１６における左方向の力が付勢されるようになる。このため、図１６に示すように、ロック板７６の第１のロック部分７６ａは、各集積レバー５４の駆動を行う駆動機構２００に設けられたギヤ２０４から離間するとともに、ロック板７６の第２のロック部分７６ｂは一時保留板支持部材５８の被ロック部５８ａの真下の位置よりも図１６における左側にずれるようになる。このことにより、集積レバー５４および一時保留板５６に対してロック板７６によるロックは行われず、集積レバー５４および一時保留板５６はそれぞれ自在に移動することができるようになる。このようにして、例えば紙幣処理装置２０の本体部分（具体的には、搬送部２６）から紙幣収納カセット５０に紙幣が送られてこの紙幣収納カセット５０の集積ステージ５２上に集積される際に、図６に示すように集積レバー５４および一時保留板５６はそれぞれ集積領域に移動することができるようになる。
【００４７】
一方、載せ台３０を貨幣処理システム１０の筐体１２から手前側に引き出す際に、操作者によって取っ手７１が操作されると、係合部材７９が軸７９ａ（図１７参照）を中心として時計回りの方向に回転し、載せ台３０側の係合部材７９が貨幣処理システム１０の筐体１２側のピン部材１２ｂから外れるようになる。また、操作者によって取っ手７１が操作されると、軸７２が図１７における時計回りの方向に回転することによって第１のリンク部材７３が軸７２を中心として図１７における時計回りの方向に回転する。このことにより、第１の引っ張りバネ７８ａによる引っ張り力に抗して第２のリンク部材７４が図１７における左方向に引っ張られることにより、第３のリンク部材７５のピン部材７５ｂは第２のリンク部材７４の右端部によって押動されなくなる。この場合には、第３の引っ張りバネ７８ｃによって、第３のリンク部材７５における軸７５ａよりも下側の箇所が図１７における左方向に引っ張られることにより、当該第３のリンク部材７５は軸７５ａを中心として図１７における時計回りの方向に力が付勢されるようになる。このことにより、ロック板７６の被押動板７６ｃは第３のリンク部材７５のピン部材７５ｃにより押動されなくなる。また、第２の引っ張りバネ７８ｂによって、ロック板７６が図１７における右方向に引っ張られることにより、このロック板７６に対して図１７における右方向の力が付勢されるようになる。このことにより、図１７に示すように、ロック板７６の第１のロック部分７６ａは、各集積レバー５４の駆動を行う駆動機構２００に設けられたギヤ２０４の歯の間に進出し、このギヤ２０４を強制的に停止させることにより各集積レバー５４をロックする。また、ロック板７６の第２のロック部分７６ｂは一時保留板支持部材５８の被ロック部５８ａの真下の位置に移動することにより、一時保留板支持部材５８は下方に移動することができないようになる。このようにして、集積レバー５４および一時保留板５６に対してロック板７６によるロックは行われ、図７に示すように集積レバー５４および一時保留板５６はそれぞれ退避領域でロックされるようになる。
【００４８】
なお、本実施の形態では、載せ台３０を貨幣処理システム１０の筐体１２から手前側に引き出す前に、紙幣処理装置２０の制御部（図示せず）に対して紙幣の回収処理を行う旨の指令が与えられるようになっている。このような紙幣の回収処理を行う旨の指令が制御部に与えられると、集積レバー５４および一時保留板５６はそれぞれ図７に示すような退避領域に移動するようになる。そして、各集積レバー５４および一時保留板５６が退避領域に移動した後、載せ台３０が貨幣処理システム１０の筐体１２から手前側に引き出され、この際に集積レバー５４および一時保留板５６に対してロック板７６によるロックが行われることにより、載せ台３０を貨幣処理システム１０の筐体１２から手前側に引き出す間に集積レバー５４や一時保留板５６が繰出ベルト６０の下方に位置する集積領域に移動してしまうことを防止することができるようになる。
【００４９】
また、紙幣収納カセット５０が載せ台３０から上方に取り出されると、紙幣収納カセット５０側のロック板７６は載せ台３０側の第３のリンク部材７５から大きく離間するようになり、このためロック板７６は第３のリンク部材７５のピン部材７５ｃにより押動されなくなる。この場合には、第２の引っ張りバネ７８ｂによって、ロック板７６が図１７における右方向に引っ張られることにより、このロック板７６に対して図１７における右方向の力が付勢されるようになる。このことにより、図１７に示すように、ロック板７６の第１のロック部分７６ａは、各集積レバー５４の駆動を行う駆動機構２００に設けられたギヤ２０４の歯の間に進出し、このギヤ２０４を強制的に停止させることにより各集積レバー５４をロックする。また、ロック板７６の第２のロック部分７６ｂは一時保留板支持部材５８の被ロック部５８ａの真下の位置に移動することにより、一時保留板支持部材５８は下方に移動することができないようになる。このようにして、紙幣収納カセット５０が載せ台３０から上方に取り出された後でも集積レバー５４および一時保留板５６に対するロック板７６によるロックが続くようになり、図７に示すように集積レバー５４および一時保留板５６はそれぞれ退避領域に維持されるようになる。
【００５０】
また、本実施の形態では、図１６および図１７に示すように、ロック板７６の第２のロック部分７６ｂの下部分は鉛直方向に対して傾斜している。このことにより、図１７に示すようにロック板７６が右方向に移動したときに、一時保留板５６が集積領域に残っており一時保留板支持部材５８の被ロック部５８ａがこの第２のロック部分７６ｂの下方に位置していた場合でも、操作者は手動で一時保留板５６および一時保留板支持部材５８を一体的に図６における上方向に移動させると、被ロック部５８ａが第２のロック部分７６ｂの傾斜面に接触したときにこの第２のロック部分７６ｂが被ロック部５８ａにより押されて図１７における左方向に移動することによって、一時保留板支持部材５８の被ロック部５８ａを第２のロック部分７６ｂの上方に位置させることができるようになる。
【００５１】
また、本実施の形態では、図６乃至図８に示すように、一時保留板５６には幅規制ガイド部材５９が設けられており、この幅規制ガイド部材５９は、集積ステージ５２が図６等における上方に移動する際に当該集積ステージ５２に集積された紙幣をその幅方向に（すなわち、図８の左右方向に）揃えるよう案内するようになっている。より詳細に説明すると、図８に示すように、幅規制ガイド部材５９は、集積ステージ５２に集積される紙幣の幅方向（すなわち、図８の左右方向）における一方の端部の近傍に設けられており、この幅規制ガイド部材５９の下部には鉛直方向（すなわち、集積ステージ５２に紙幣が集積される方向）に対して約４５°傾斜した傾斜面５９ａが設けられている。そして、紙幣収納カセット５０から紙幣投出入口５３を介して搬送部２６に紙幣を繰り出す際に集積ステージ５２が図６等における上方に移動すると、この集積ステージ５２に集積された紙幣は幅規制ガイド部材５９の傾斜面５９ａに沿って図８における左方向に案内されることにより当該紙幣の幅方向位置を揃えることができるようになる。
【００５２】
このような幅規制ガイド部材５９が一時保留板５６に設けられている場合において、集積ステージ５２に集積された紙幣が繰出ベルト６０により紙幣処理装置２０の本体部分（具体的には、搬送部２６）に繰り出される前に、集積ステージ５２が繰出ベルト６０に向かって移動する動作および集積ステージ５２が繰出ベルト６０から遠ざかるよう移動する動作が交互に行われるようになっていてもよい。すなわち、集積ステージ５２に集積された紙幣が繰出ベルト６０により紙幣処理装置２０の本体部分（具体的には、搬送部２６）に繰り出される前に、集積ステージ５２が幅規制ガイド部材５９を挟んで図６等における上下方向に何度か往復移動を行うようになっていてもよい。この場合には、集積ステージ５２が繰出ベルト６０に向かって移動する度に、幅規制ガイド部材５９により集積ステージ５２に集積された紙幣が図８における左方向に案内されるため、集積ステージ５２上の紙幣はその幅方向に揃えられるようになる。
【００５３】
また、本実施の形態では、紙幣収納カセット５０を載せ台３０に載せた後、この紙幣収納カセット５０の扉５０ｂを開けたまま載せ台３０を貨幣処理システム１０の筐体１２の内部に押し込んだときに当該扉５０ｂが破損するのを防止するための板金３０ｐが載せ台３０に回転自在に設けられている。このような技術的事項について図１８および図１９を用いて説明する。図１８は、図６等に示す紙幣収納カセット５０が載せ台３０に載せられたときの外観を示す斜視図であって、当該紙幣収納カセット５０の側面に設けられた扉５０ｂが開かれていないときの状態を示す図であり、図１９は、図６等に示す紙幣収納カセット５０が載せ台３０に載せられたときの外観を示す斜視図であって、当該紙幣収納カセット５０の側面に設けられた扉５０ｂが開かれているときの状態を示す図である。
【００５４】
図１８に示すように、紙幣収納カセット５０は略直方体形状のケーシング５０ａを有しており、このケーシング５０ａの一方  の側面には、紙幣収納カセット５０への紙幣の出し入れを行うための紙幣投出入口５３が設けられている。また、ケーシング５０ａの側面における紙幣投出入口５３が設けられた面とは別の面には扉５０ｂが設けられており、紙幣収納カセット５０の内部から紙幣を取り出したり紙幣収納カセット５０の内部に紙幣を装填したりする際にこの扉５０ｂが下方に開かれるようになっている。また、載せ台３０の下部には軸３０ｑを中心として回転自在となっている板金３０ｐが設けられており、載せ台３０に紙幣収納カセット５０が載せられたときにこの板金３０ｐは紙幣収納カセット５０の扉５０ｂに面するようになっている。また、軸３０ｑにはねじりバネ（図示せず）が設けられており、当該ねじりバネにより板金３０ｐに対して図１８に示す位置に維持する力が付勢されるようになっている。
【００５５】
ここで、紙幣収納カセット５０を載せ台３０に載せた後、この紙幣収納カセット５０の扉５０ｂを開けると、図１９に示すように、板金３０ｐは扉５０ｂにより押されることによって当該板金３０ｐは上記のねじりバネによる力に抗して軸３０ｑを中心として回転する。このため、紙幣収納カセット５０の扉５０ｂを開けたまま載せ台３０を貨幣処理システム１０の筐体１２の内部に押し込んだときには、この板金３０ｐが貨幣処理システム１０の筐体１２に設けられた仕切枠体等の部材に衝突するようになり、よって紙幣収納カセット５０の扉５０ｂが破損することを防止することができるようになる。
【００５６】
また、本実施の形態では、紙幣収納カセット５０を載せ台３０に載せたときに、各駆動機構１００、２００、３００における紙幣収納カセット５０側のギヤと、載せ台３０側のギヤとを自動的に噛み合わせることができ、載せ台３０側に設けられた各駆動モータ１２０、２３０、３２０による駆動力を、紙幣収納カセット５０側の繰出ベルト６０、集積レバー５４および一時保留板５６の各々に伝達することができるようになっている。このことについて図２０および図２１を用いて説明する。なお、図２０は、図６等に示す紙幣収納カセット５０が載せ台３０から上方に離間しているときの駆動系の構成を示す側面図であり、図２１は、図６等に示す紙幣収納カセット５０を載せ台３０に載せたときの駆動系の構成を示す側面図である。
【００５７】
図２０に示すように、各繰出ベルト６０の駆動を行う駆動機構１００において、紙幣収納カセット５０側のギヤ１１４にはピン１３６が同軸で取り付けられており、当該ピン１３６はピン支持部材１３２により支持されている。また、ピン支持部材１３２の基端部には軸１３４が設けられており、当該ピン支持部材１３２は軸１３４を中心として揺動自在となっている。ここで、ピン支持部材１３２には引っ張りバネ（図示せず）が取り付けられており、当該引っ張りバネによりピン支持部材１３２に対して軸１３４を中心として時計回りの方向に回転する力が付勢されるようになっている。また、紙幣収納カセット５０が載せ台３０から取り外されているときに、ピン支持部材１３２は図示しないストッパ部材により図２０に示す位置に維持されるようになっている。一方、各繰出ベルト６０の駆動を行う駆動機構１００において、載せ台３０側にはピン１３６を保持するためのピン保持部材１１８が設けられている。ピン保持部材１１８は、ギヤ１１６の軸１１６ａを中心として回転自在となっている。また、ピン保持部材１１８には引っ張りバネ（図示せず）が取り付けられており、当該引っ張りバネによりピン保持部材１１８に対して軸１１６ａを中心として時計回りの方向に回転する力が付勢されるようになっている。また、ピン保持部材１１８には、後述する紙幣収納カセット５０の一部分５０ｓにより下方に押動される被押動部１１８ａおよびピン１３６を受けるための凹部１１８ｂがそれぞれ設けられている。
【００５８】
紙幣収納カセット５０が載せ台３０に載せられるときに、図２１に示すように、紙幣収納カセット５０の一部分５０ｓによりピン保持部材１１８の被押動部１１８ａが下方に押動される。このことにより、ピン保持部材１１８は引っ張りバネによる力に抗して軸１１６ａを中心として反時計回りの方向に回転する。また、このことにより、紙幣収納カセット５０側のギヤ１１４と同軸で設けられたピン１３６がピン保持部材１１８の凹部１１８ｂ内に嵌まるようになり、当該ピン１３６はピン保持部材１１８により保持されるようになる。なお、ピン１３６がピン保持部材１１８により保持される際に、このピン１３６がピン保持部材１１８の上端部１１８ｃによって押されることにより当該ピン１３６を支持するピン支持部材１３２は引っ張りバネによる力に抗して軸１３４を中心として時計回りの方向に回転し、その後このピン支持部材１３２は引っ張りバネによる力により軸１３４を中心として反時計回りの方向に回転する。このことにより、ピン保持部材１１８により保持されたピン１３６は当該ピン保持部材１１８から外れにくくなる。以上のように、本実施の形態では、紙幣収納カセット５０側のギヤ１１４と同軸で設けられたピン１３６を載せ台３０側のピン保持部材１１８により保持させることによって、各繰出ベルト６０の駆動を行う駆動機構１００においてギヤ１１４およびギヤ１１６を確実に噛み合わせることができるようになる。
【００５９】
同様に、各集積レバー５４の駆動を行う駆動機構２００において、紙幣収納カセット５０側のギヤ２１８にはピン２４４が同軸で取り付けられており、当該ピン２４４はピン支持部材２４０により支持されている。また、ピン支持部材２４０の基端部には軸２４２が設けられており、当該ピン支持部材２４０は軸２４２を中心として揺動自在となっている。ここで、ピン支持部材２４０には引っ張りバネ（図示せず）が取り付けられており、当該引っ張りバネによりピン支持部材２４０に対して軸２４２を中心として反時計回りの方向に回転する力が付勢されるようになっている。また、紙幣収納カセット５０が載せ台３０から取り外されているときに、ピン支持部材２４０は図示しないストッパ部材により図２０に示す位置に維持されるようになっている。一方、各集積レバー５４の駆動を行う駆動機構２００において、載せ台３０側にはピン２４４を保持するためのピン保持部材２２４が設けられている。ピン保持部材２２４は、ギヤ２２２の軸２２２ａを中心として回転自在となっている。また、ピン保持部材２２４には引っ張りバネ（図示せず）が取り付けられており、当該引っ張りバネによりピン保持部材２２４に対して軸２２２ａを中心として時計回りの方向に回転する力が付勢されるようになっている。また、ピン保持部材２２４には、後述する紙幣収納カセット５０の一部分５０ｔにより下方に押動される被押動部２２４ａおよびピン２４４を受けるための凹部２２４ｂがそれぞれ設けられている。
【００６０】
紙幣収納カセット５０が載せ台３０に載せられるときに、図２１に示すように、紙幣収納カセット５０の一部分５０ｔによりピン保持部材２２４の被押動部２２４ａが下方に押動される。このことにより、ピン保持部材２２４は引っ張りバネによる力に抗して軸２２２ａを中心として反時計回りの方向に回転する。また、このことにより、紙幣収納カセット５０側のギヤ２１８と同軸で設けられたピン２４４がピン保持部材２２４の凹部２２４ｂ内に嵌まるようになり、当該ピン２４４はピン保持部材２２４により保持されるようになる。なお、ピン２４４がピン保持部材２２４により保持される際に、このピン２４４がピン保持部材２２４の上端部２２４ｃによって押されることにより当該ピン２４４を支持するピン支持部材２４０は引っ張りバネによる力に抗して軸２４２を中心として時計回りの方向に回転し、その後このピン支持部材２４０は引っ張りバネによる力により軸２４２を中心として反時計回りの方向に回転する。このことにより、ピン保持部材２２４により保持されたピン２４４は当該ピン保持部材２２４から外れにくくなる。以上のように、本実施の形態では、紙幣収納カセット５０側のギヤ２１８と同軸で設けられたピン２４４を載せ台３０側のピン保持部材２２４により保持させることによって、各集積レバー５４の駆動を行う駆動機構２００においてギヤ２１８およびギヤ２２２を確実に噛み合わせることができるようになる。
【００６１】
同様に、一時保留板５６の駆動を行う駆動機構３００において、紙幣収納カセット５０側のギヤ３１０にはピン３３４が同軸で取り付けられており、当該ピン３３４はピン支持部材３３０により支持されている。また、ピン支持部材３３０の基端部には軸３３２が設けられており、当該ピン支持部材３３０は軸３３２を中心として揺動自在となっている。ここで、ピン支持部材３３０には引っ張りバネ（図示せず）が取り付けられており、当該引っ張りバネによりピン支持部材３３０に対して軸３３２を中心として時計回りの方向に回転する力が付勢されるようになっている。また、紙幣収納カセット５０が載せ台３０から取り外されているときに、ピン支持部材３３０は図示しないストッパ部材により図２０に示す位置に維持されるようになっている。一方、一時保留板５６の駆動を行う駆動機構３００において、載せ台３０側にはピン３３４を保持するためのピン保持部材３１４が設けられている。ピン保持部材３１４は、ギヤ３１２の軸３１２ａを中心として回転自在となっている。また、ピン保持部材３１４には引っ張りバネ（図示せず）が取り付けられており、当該引っ張りバネによりピン保持部材３１４に対して軸３１２ａを中心として反時計回りの方向に回転する力が付勢されるようになっている。また、ピン保持部材３１４には、後述する紙幣収納カセット５０の一部分５０ｕにより下方に押動される被押動部３１４ａおよびピン３３４を受けるための凹部３１４ｂがそれぞれ設けられている。
【００６２】
紙幣収納カセット５０が載せ台３０に載せられるときに、図２１に示すように、紙幣収納カセット５０の一部分５０ｕによりピン保持部材３１４の被押動部３１４ａが下方に押動される。このことにより、ピン保持部材３１４は引っ張りバネによる力に抗して軸３１２ａを中心として時計回りの方向に回転する。また、このことにより、紙幣収納カセット５０側のギヤ３１０と同軸で設けられたピン３３４がピン保持部材３１４の凹部３１４ｂ内に嵌まるようになり、当該ピン３３４はピン保持部材３１４により保持されるようになる。なお、ピン３３４がピン保持部材３１４により保持される際に、このピン３３４がピン保持部材３１４の上端部３１４ｃによって押されることにより当該ピン３３４を支持するピン支持部材３３０は引っ張りバネによる力に抗して軸３３２を中心として反時計回りの方向に回転し、その後このピン支持部材３３０は引っ張りバネによる力により軸３３２を中心として時計回りの方向に回転する。このことにより、ピン保持部材３１４により保持されたピン３３４は当該ピン保持部材３１４から外れにくくなる。以上のように、本実施の形態では、紙幣収納カセット５０側のギヤ３１０と同軸で設けられたピン３３４を載せ台３０側のピン保持部材３１４により保持させることによって、一時保留板５６の駆動を行う駆動機構３００においてギヤ３１０およびギヤ３１２を確実に噛み合わせることができるようになる。
【００６３】
また、本実施の形態では、集積ステージ５２の駆動を行う駆動機構４００において、紙幣収納カセット５０が載せ台３０から上方に取り出されると、集積領域が大きくなる方向に操作者が手動で集積ステージ５２を移動させることができなくなるよう、すなわち操作者が手動で集積ステージ５２を図６等における下方に移動させることができなくなるよう、集積ステージ５２を規制する規制機構が設けられている。このような規制機構の構成について図２２および図２３を用いて説明する。上述したように、図２２および図２３は、図６等に示す紙幣収納カセット５０に設けられた集積ステージ５２の駆動系の構成を示す上面図であって、紙幣収納カセット５０が載せ台３０から取り出されているときの状態を示す図である。
【００６４】
図２２および図２３に示すように、集積ステージ５２の駆動を行う駆動機構４００において、ギヤ４０６の歯に進入することにより当該ギヤ４０６を一方向のみに回転させるようなロック板４２０が設けられている。具体的に説明すると、このようなロック板４２０はロック板支持部材４２１により支持されるようになっており、当該ロック板支持部材４２１は軸４２１ａを中心として回転自在となっている。また、軸４２１ａにはねじりバネ４２２が設けられており、当該ねじりバネ４２２によりロック板支持部材４２１に対して図２２や図２３における時計回りの方向に回転させるような力が付勢されるようになっている。このことにより、ロック板４２０やロック板支持部材４２１に何ら力が加えられていないときには、図２２に示すように、ロック板４２０の先端部分はギヤ４０６の外周縁における周方向に対してわずかな角度をなしながら当該ギヤ４０６の歯に進入するようになり、よってギヤ４０６は図２２における反時計回りの方向には回転するが時計回りの方向には回転することができなくなる。ここで、本実施の形態では、図１２に示すようにギヤ４０６が図２２における反時計回りの方向に回転するとネジ棒４０４もギヤ４０６と同方向に回転し、集積ステージ５２は図６における上方向に移動するようになっており、一方、ギヤ４０６が図２２における時計回りの方向に回転するとネジ棒４０４もギヤ４０６と同方向に回転し、集積ステージ５２は図６における下方向に移動するようになっている。このため、ギヤ４０６が図２２における時計回りの方向に回転することができなくなると、操作者は手動で集積ステージ５２を図６における下方向に移動させることができなくなる。このように、本実施の形態では、ロック板４２０は、紙幣収納カセット５０が載せ台３０から取り出されたときに集積領域が大きくなる方向に（すなわち、図６等における下方向に）集積ステージ５２が移動することができなくなるよう当該集積ステージ５２を規制する規制機構として機能するようになる。
【００６５】
また、図２２および図２３に示すように、集積ステージ５２の駆動を行う駆動機構４００において、ロック板４２０によるギヤ４０６のロックを解除するためのロック解除レバー４２４が設けられている。ここで、ロック解除レバー４２４の根元部分には、操作者の手により把持される把持部分４２４ａが設けられている。また、ロック解除レバー４２４の先端部分はロック板４２０の根元部分の近傍に位置しており、このロック解除レバー４２４によりロック板４２０の根元部分を押動することができるようになっている。ここで、図２３に示すように、操作者が把持部分４２４ａを手で把持することによってロック解除レバー４２４によりロック板４２０の根元部分を押動すると、ロック板支持部材４２１が軸４２１ａを中心として図２３における時計回りの方向に回転するよう、ロック板４２０を移動させることができるようになる。このことにより、図２３に示すようにロック板４２０をギヤ４０６から離間させることができるようになり、ギヤ４０６は図２３における時計回りの方向および反時計回りの方向の両方向に回転可能となるため、操作者は手動で集積ステージ５２を図６における上方向および下方向の両方向に移動させることができるようになる。このように、本実施の形態では、ロック解除レバー４２４は、規制機構としてのロック板４２０による集積ステージ５２の規制状態を解除するための規制解除部として機能するようになる。
【００６６】
また、本実施の形態では、紙幣収納カセット５０を載せ台３０に載せたときに、集積ステージ５２の駆動を行う駆動機構４００における紙幣収納カセット５０側のギヤ４０６と、載せ台３０側のギヤ４１２とを自動的に噛み合わせることができ、載せ台３０側に設けられた駆動モータ４３０による駆動力を、紙幣収納カセット５０側の集積ステージ５２に伝達することができるようになっている。このことについて図２４および図２５を用いて説明する。なお、図２４は、図６等に示す紙幣収納カセット５０に設けられた集積ステージ５２の駆動系の構成を示す上面図であって、紙幣収納カセット５０を載せ台３０に載せたときの状態を示す図であり、図２５は、図６等に示す紙幣収納カセット５０に設けられた集積ステージ５２の駆動系の構成を示す上面図であって、紙幣収納カセット５０を載せ台３０に載せた後に当該載せ台３０を貨幣処理システム１０の筐体１２の内部に収容したときの状態を示す図である。
【００６７】
図２２乃至図２５に示すように、紙幣収納カセット５０側において、ロック板支持部材４２１には取付部材４２５が取り付けられており、また、この取付部材４２５の近傍にはリンク部材４２６が設けられている。また、載せ台３０側において、ローラ４４０がローラ支持部材４４２により回転自在に支持されており、このローラ支持部材４４２は軸４４２ａを中心として回転自在となっている。また、ローラ４４０の近傍には、ピン４４４ａが設けられたリンク部材４４４が設けられており、当該リンク部材４４４はギヤ４１４の軸４１４ａを中心として回転自在となっている。ここで、載せ台３０側のギヤ４１２、４１４はそれぞれリンク部材４４４により回転自在に支持されるようになっている。また、リンク部材４４４には押動部材４４６が取り付けられており、載せ台３０に紙幣収納カセット５０が載せられたときに、リンク部材４４４が軸４１４ａを中心として図２４や図２５における反時計回りの方向に回転すると、このリンク部材４４４に取り付けられた押動部材４４６により紙幣収納カセット５０側のリンク部材４２６が取付部材４２５側に押動され、取付部材４２５およびロック板支持部材４２１が一体的に軸４２１ａを中心として図２４や図２５における時計回りの方向に回転することによりロック板４２０がギヤ４０６から離間するようになっている（図２５参照）。また、ローラ支持部材４４２には引っ張りバネ４５０が設けられており、当該引っ張りバネ４５０によりローラ支持部材４４２に対して軸４４２ａを中心として図２４や図２５における反時計回りの方向に回転するような力が付勢されるようになっている。また、ギヤ４１２の軸４１２ａにも引っ張りバネ４５２が取り付けられており、当該引っ張りバネ４５２によりギヤ４１２の軸４１２ａが図２４や図２５における左方向に引っ張られるようになっている。
【００６８】
本実施の形態では、貨幣処理システム１０の筐体１２から手前側に引き出された状態にある載せ台３０に紙幣収納カセット５０が載せられただけでは、図２４に示すように、紙幣収納カセット５０側のギヤ４０６と載せ台３０側のギヤ４１２とは互いに噛み合うことはなく、駆動モータ４３０による駆動力が集積ステージ５２に伝達されることはない。また、この場合には、ロック板４２０やロック板支持部材４２１に何ら力が加えられないため、図２４に示すように、ロック板４２０の先端部分はギヤ４０６の外周縁における周方向に対してわずかな角度をなしながら当該ギヤ４０６の歯に進入するようになり、よってギヤ４０６は図２４における反時計回りの方向には回転するが時計回りの方向には回転することができなくなる。このように、ギヤ４０６が図２４における時計回りの方向に回転することができなくなると、集積ステージ５２を図６における上方向に移動させることができるが下方向に移動させることができなくなる。
【００６９】
一方、載せ台３０に紙幣収納カセット５０が載せられた後、当該載せ台３０が貨幣処理システム１０の筐体１２の内部に収容されると、図２５に示すように、貨幣処理システム１０の筐体１２の内部に設けられた内壁１３にローラ４４０が接触することにより当該ローラ４４０は図２５における上方向に押動される。この場合には、ローラ支持部材４４２が軸４４２ａを中心として図２５における時計回りの方向に回転するようになり、ローラ支持部材４４２がピン４４４ａから離間する方向に移動することで、リンク部材４４４が軸４１４ａを中心として図２５における反時計回りの方向に回転する。このことにより、リンク部材４４４により回転自在に支持されるギヤ４１２が紙幣収納カセット５０側のギヤ４０６に向かって移動し、これらのギヤ４１２およびギヤ４０６が互いに噛み合うようになる。また、リンク部材４４４に取り付けられた押動部材４４６により紙幣収納カセット５０側のリンク部材４２６が取付部材４２５側に押動され、取付部材４２５およびロック板支持部材４２１が一体的に軸４２１ａを中心として図２５における時計回りの方向に回転することによりロック板４２０がギヤ４０６から離間する。このことにより、ギヤ４０６は図２５における時計回りの方向および反時計回りの方向の両方向に回転可能となるため、集積ステージ５２を図６における上方向および下方向の両方向に移動させることができるようになる。
【００７０】
また、本実施の形態では、図２６乃至図２８に示すように、紙幣収納カセット５０側にコネクタ５００が設けられているとともに載せ台３０側にコネクタ５０２が設けられており、載せ台３０に紙幣収納カセット５０が載せられるときにこれらのコネクタ５００、５０２が互いに接合するようになっている。また、載せ台３０側のコネクタ５０２は防塵カバー５０４により覆われており、載せ台３０に紙幣収納カセット５０が載せられるときにこの防塵カバー５０４が紙幣収納カセット５０の一部分５０ｐ（具体的には、紙幣収納カセット５０の底面）により押されることにより当該防塵カバー５０４が回転してコネクタ５０２が自動的に露出されるようになっている。このような本実施の形態による技術的特徴について図２６乃至図２８を用いて説明する。なお、図２６は、図６等に示す紙幣収納カセット５０が載せ台３０から上方に離間しているときの紙幣収納カセット５０のコネクタ５００および載せ台３０のコネクタ５０２の位置関係を示す側面図であり、図２７は、図６等に示す紙幣収納カセット５０を載せ台３０に載せる途中段階における紙幣収納カセット５０のコネクタ５００および載せ台３０のコネクタ５０２の位置関係を示す側面図である。また、図２８は、図６等に示す紙幣収納カセット５０を載せ台３０に載せたときの紙幣収納カセット５０のコネクタ５００および載せ台３０のコネクタ５０２の位置関係を示す側面図である。
【００７１】
上述したように、載せ台３０側のコネクタ５０２は防塵カバー５０４により覆われているが、この防塵カバー５０４は水平方向に延びる軸５０６を中心として回転自在となっている。また、軸５０６にはねじりバネ５０８が設けられており、当該ねじりバネ５０８により防塵カバー５０４に対して軸５０６を中心として図２６における反時計回りの方向に力が付勢されるようになっている。また、防塵カバー５０４に何ら力が加えられていないときには、当該防塵カバー５０４は図示しないストッパ部材により図２６に示す位置に維持されるようになっている。このことにより、紙幣収納カセット５０が載せ台３０から上方に離間しているときには、図２６に示すようにコネクタ５０２は防塵カバー５０４により覆われるようになるため、当該コネクタ５０２を保護することができるようになる。
【００７２】
一方、載せ台３０に紙幣収納カセット５０が載せられるときに、この紙幣収納カセット５０の一部分５０ｐ（具体的には、紙幣収納カセット５０の底面）により防塵カバー５０４が下方に押動されると、図２７に示すように、防塵カバー５０４は、ねじりバネ５０８による力に抗して軸５０６を中心として図２７における時計回りの方向に約９０°回転する。このことにより、防塵カバー５０４が開くようになり、コネクタ５０２は上方に露出するようになる。その後、図２８に示すように、紙幣収納カセット５０が載せ台３０に完全に載せられると、紙幣収納カセット５０側のコネクタ５００および載せ台３０側のコネクタ５０２が互いに接合し、紙幣収納カセット５０と載せ台３０との間で操作信号や検知信号等の様々な信号の伝達を行うことができるようになる。このように、本実施の形態では、紙幣収納カセット５０の一部分５０ｐ（具体的には、紙幣収納カセット５０の底面）により防塵カバー５０４を押し開くことができるようになり、操作者が防塵カバー５０４を手動で開かなくても紙幣収納カセット５０側のコネクタ５００および載せ台３０側のコネクタ５０２を互いに接合させることができるため、操作者にとっての操作性を向上させることができる。
【００７３】
以上のような構成からなる本実施の形態の紙幣収納カセット５０によれば、紙幣処理装置２０の本体部分（具体的には、搬送部２６）から送られた紙幣を整列させて集積ステージ５２上に集積させるための整列機構は、紙幣が集積される集積領域（図６参照）と、当該集積領域から上方に退避した退避領域（図７参照）との間で移動自在となっており、整列機構が退避領域から集積領域に移動しないよう当該整列機構を退避領域でロックするロック部としてロック板７６が設けられている。このような紙幣収納カセット５０によれば、当該紙幣収納カセット５０の扉５０ｂを開いて集積ステージ５２上の紙幣を手動で取り出したり紙幣を装填したりするときに整列機構が邪魔とならないため作業効率を向上させることができる。
【００７４】
また、本実施の形態の紙幣収納カセット５０においては、上述したように、ロック部としてのロック板７６は、紙幣処理装置２０から紙幣収納カセット５０が取り出される際に整列機構を退避領域でロックするようになっている。より詳細には、紙幣処理装置２０には、紙幣収納カセット５０が載せられる載せ台３０が当該紙幣処理装置２０の筐体から手前側に引き出し可能に設けられており、載せ台３０の前面には、当該載せ台３０を貨幣処理システム１０の筐体１２から手前側に引き出す際に操作される取っ手７１が設けられており、ロック部としてのロック板７６は、取っ手７１が操作されたときに整列機構を退避領域でロックするようになっている。
【００７５】
また、本実施の形態の紙幣収納カセット５０においては、上述したように、ロック部としてのロック板７６により退避位置にロックされる整列機構は、紙幣処理装置２０の本体部分から送られた紙幣を叩くことにより集積ステージ５２上に整列させる集積レバー５４を含んでいる。また、ロック部としてのロック板７６により退避位置にロックされる整列機構は、集積ステージ５２に紙葉類が集積される方向（すなわち、図６等における上下方向）に沿って移動自在となっており、紙幣処理装置２０の本体部分から送られた紙幣を一時的に保留する一時保留板５６を含んでいる。
【００７６】
また、本実施の形態の紙幣収納カセット５０においては、上述したように、集積ステージ５２は、当該集積ステージ５２に紙幣が集積される方向（すなわち、図６等における上下方向）に沿って移動自在となっており、一時保留板５６は、繰出ベルト６０と集積ステージ５２との間に設けられており、この一時保留板５６には、集積ステージ５２が繰出ベルト６０に向かって移動する際に当該集積ステージ５２に集積された紙幣をその幅方向に揃えるよう案内する幅規制ガイド部材５９が案内部材として設けられている。この場合には、紙幣収納カセット５０の内部から繰出ベルト６０により当該紙幣収納カセット５０の外部に紙幣を繰り出す際に、集積ステージ５２が繰出ベルト６０に向かって移動すると幅規制ガイド部材５９によって集積ステージ５２に集積された紙幣をその幅方向に自動的に揃えることができるようになる。
【００７７】
ここで、案内部材としての幅規制ガイド部材５９における集積ステージ５２に近い側の端部には、集積ステージ５２に紙幣が集積される方向に対して傾斜した傾斜面５９ａが設けられており、集積ステージ５２が繰出ベルト６０に向かって移動する際に集積ステージ５２に集積された紙幣は傾斜面５９ａに沿って案内されるようになっている。また、上述したように、集積ステージ５２に集積された紙幣が繰出ベルト６０により紙幣処理装置２０の本体部分（具体的には、搬送部２６）に繰り出される前に集積ステージ５２が繰出ベルト６０に向かって移動する動作および集積ステージ５２が繰出ベルト６０から遠ざかるよう移動する動作が交互に複数回行われるようになっており、集積ステージ５２が繰出ベルト６０に向かって移動する度に幅規制ガイド部材５９により集積ステージ５２に集積された紙幣がその幅方向に揃えられるようになっていてもよい。
【００７８】
また、本実施の形態の紙幣収納カセット５０においては、上述したように、紙幣処理装置２０から紙幣収納カセット５０が取り出されると、集積領域が大きくなる方向（すなわち、図６等における下方向）に集積ステージ５２が移動することができなくなるよう当該集積ステージ５２を規制する規制機構としてロック板４２０が設けられている。この場合には、紙幣処理装置２０から紙幣収納カセット５０が取り出されたときに、操作者は手動で集積ステージ５２を図６等における上方向に移動させることができるようになるが図６等における下方向に移動させることができなくなる。このため、集積ステージ５２が図６等における下方向に移動することにより当該集積ステージ５２上に集積された紙幣の整列状態が乱れてしまうことを防止することができるようになる。また、本実施の形態では、規制機構としてのロック板４２０による集積ステージ５２のロック状態を解除するための規制解除部としてロック解除レバー４２４が設けられている。このようなロック解除レバー４２４によりロック板４２０を押動することによってこのロック板４２０をギヤ４０６から離間させることができるため、操作者は手動で集積ステージ５２を図６等における上方向および下方向の両方向に移動させることができるようになる。
【００７９】
なお、本実施の形態による紙幣収納カセット５０は、上述したような態様に限定されることはなく、様々な変更を加えることができる。
【００８０】
例えば、集積レバー５４や一時保留板５６等からなる整列機構を退避領域でロックするロック部は、上述したロック板７６の構成に限定されることはない。集積レバー５４や一時保留板５６等からなる整列機構を退避領域でロックすることができるものであれば、ロック部としてロック板７６以外の様々な構成を用いることができる。
【００８１】
また、紙幣処理装置２０の本体部分（具体的には、搬送部２６）から送られた紙幣を整列させて集積ステージ５２上に集積させるための整列機構は、集積レバー５４や一時保留板５６に限定されることはない。本発明では、整列機構として、札叩き用ゴムが設けられた羽根車等の、集積レバー５４や一時保留板５６以外の構成のものを用いてもよい。
【００８２】
また、本発明による紙葉類収納カセットや紙葉類処理装置は、紙幣の収納を行う紙幣収納カセット５０や紙幣の処理を行う紙幣処理装置２０に限定されることはない。本発明による紙葉類収納カセットや紙葉類処理装置として、紙幣以外の紙葉類（例えば、商品券や小切手等）の収納を行うものや、紙幣以外の紙葉類の処理を行うものが用いられてもよい。
【符号の説明】
【００８３】
１０      貨幣処理システム
１２      筐体
１２ａ    下扉
１２ｂ    ピン部材
１３      内壁
１４      第１の占有ボタン
１６      第２の占有ボタン
２０      紙幣処理装置
２２      紙幣入金口
２４      紙幣出金口
２６      搬送部
２６ａ    搬送路
２８      識別部
３０      載せ台
３０ｐ    板金
３０ｑ    軸
３２      五千円紙幣用集積部
３４      出金リジェクト部
３６      千円紙幣用集積部
３８      一万円紙幣用集積部
５０      紙幣収納カセット
５０ａ    ケーシング
５０ｂ    扉
５０ｐ、５０ｓ、５０ｔ、５０ｕ  紙幣収納カセットの一部分
５２      集積ステージ
５２ａ    第１の取付部
５２ｂ    第２の取付部
５３      紙幣投出入口
５４      集積レバー
５５      軸
５６      一時保留板
５８      一時保留板支持部材
５８ａ    被ロック部
５９      幅規制ガイド部材
５９ａ    傾斜面
６０      繰出ベルト
７０      ロック機構
７１      取っ手
７２      軸
７３      第１のリンク部材
７３ａ    軸
７４      第２のリンク部材
７５      第３のリンク部材
７５ａ    軸
７５ｂ    ピン部材
７５ｃ    ピン部材
７６      ロック板
７６ａ    第１のロック部分
７６ｂ    第２のロック部分
７６ｃ    被押動板
７８ａ    第１の引っ張りバネ
７８ｂ    第２の引っ張りバネ
７８ｃ    第３の引っ張りバネ
７９      係合部材
７９ａ    軸
８０      硬貨処理装置
８２      硬貨入金口
８４      硬貨出金ボックス
１００、２００、３００、４００    駆動機構
５００、５０２    コネクタ
５０４    防塵カバー
５０６    軸
５０８    ねじりバネ
【図１】
2017090986.tif 000003
【図２】
2017090986.tif 000004
【図３】
2017090986.tif 000005
【図４】
2017090986.tif 000006
【図５】
2017090986.tif 000007
【図６】
2017090986.tif 000008
【図７】
2017090986.tif 000009
【図８】
2017090986.tif 000010
【図９】
2017090986.tif 000011
【図１０】
2017090986.tif 000012
【図１１】
2017090986.tif 000013
【図１２】
2017090986.tif 000014
【図１３】
2017090986.tif 000015
【図１４】
2017090986.tif 000016
【図１５】
2017090986.tif 000017
【図１６】
2017090986.tif 000018
【図１７】
2017090986.tif 000019
【図１８】
2017090986.tif 000020
【図１９】
2017090986.tif 000021
【図２０】
2017090986.tif 000022
【図２１】
2017090986.tif 000023
【図２２】
2017090986.tif 000024
【図２３】
2017090986.tif 000025
【図２４】
2017090986.tif 000026
【図２５】
2017090986.tif 000027
【図２６】
2017090986.tif 000028
【図２７】
2017090986.tif 000029
【図２８】
2017090986.tif 000030